【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
温水循環システムにおける使用に適した圧力独立制御弁及び釣合い弁を有する装置であって、座部、上流面及び下流面を有するプラグ、並びにピストンを備え、前記座部、前記プラグ及び前記ピストンは同軸に位置合わせされ、調整手段が、前記プラグの上流面と前記座部との間の第１の流れ絞りのサイズを決め、前記ピストンは、前記第１の流れ絞りにわたる差圧及び所定の力に応じて移動するように動作可能であり、前記プラグの下流面に対する前記ピストンの位置が、第２の流れ絞りのサイズを決め、それによって、使用時に、前記第１の流れ絞りにわたって略一定の差圧を維持する、装置。
【請求項２】
前記プラグは略円筒形であり、前記座部に対して軸方向に移動可能であり、流体の流量の制御は、前記プラグと前記座部との間の距離を変えることによって達成される、請求項１に記載の装置。
【請求項３】
前記プラグの下流面は略円錐状であり、前記ピストンによって画定される管内に延びている、請求項１又は２に記載の装置。
【請求項４】
前記ピストンは略筒状であり、前記プラグの下流面を少なくとも部分的に包囲する伸縮部分を有している、請求項１〜３のいずれか一項に記載の装置。
【請求項５】
前記ピストンは、前記プラグの中心の長手方向軸に対して遠位に前記プラグと環状に接触することが可能である、請求項１〜４のいずれか一項に記載の装置。
【請求項６】
流体は当該装置を通って流れることが可能であり、前記プラグは前記流体の流路内に位置付けられ、前記プラグは、その長手方向軸を流れ方向に対して平行にして配置される、請求項１〜５のいずれか一項に記載の装置。
【請求項７】
前記流体の流路は、前記プラグと前記座部との間で径方向外方に延び、前記プラグの下流面と前記ピストンの伸縮する筒状部分との間で径方向内方に延びる、請求項４に記載の、若しくは請求項４に従属する場合の請求項５又は６に記載の装置。
【請求項８】
前記ピストンは、低圧側及び高圧側を有するフランジを有し、前記フランジの低圧側は、使用時に前記第１の流れ絞りの下流の流体圧力（Ｐ２）に晒され、それによって、前記ピストンを押しやる力を生成して前記第２の流れ絞りのサイズを増大させ、前記フランジの高圧側は、使用時に前記第１の流れ絞りの上流の流体圧力（Ｐ１）に晒され、それによって、前記ピストンを押しやる力を生成して前記第２の流れ絞りのサイズを低減させ、ばねが前記ピストンを押しやって前記第２の流れ絞りのサイズを増大させる、請求項１〜７のいずれか一項に記載の装置。
【請求項９】
前記ピストンの筒状部分は、内側及び外側双方に直径の遷移部を有し、前記流体圧力（Ｐ２）に晒される前記ピストンの径方向領域が、前記流体圧力（Ｐ１）に晒される前記ピストンの径方向領域に等しいようにし、又は、使用時に、前記第２の流れ絞りから下流の流体圧力（Ｐ３）に晒される前記ピストンの径方向領域は、前記ピストンを閉位置に向かって押しやる、前記ピストンを開位置に向かって押しやる側に等しい、あるいは、上記の両方である、請求項４に記載の、若しくは請求項４に従属する場合の請求項５〜８のいずれか一項に記載の装置。
【請求項１０】
温水循環システムにおける使用に好適な圧力独立制御弁及び釣合い弁を有する装置であって、座部、上流面及び下流面を有するプラグ、並びにピストンを備え、コントローラが前記プラグの上流面と前記座部との間の第１の流れ絞りのサイズを決め、前記ピストンは、前記第１の流れ絞りにわたる差圧及び所定の力に応じて移動するように動作可能であり、前記プラグの下流面に対する前記ピストンの位置が、第２の流れ絞りのサイズを決め、それによって、使用時に、前記第１の流れ絞りにわたって略一定の差圧を維持し、前記プラグの下流面は、１つ又は複数のキャビテーション抑制要素によって画定される、装置。
【請求項１１】
前記キャビテーション抑制要素は複数のリッジを含み、前記キャビテーション抑制要素は複数の円筒部材若しくは円錐台部材によって形成され、又は、前記部材は互いに当接して複数の段部を形成するか、又は、前記キャビテーション抑制要素は、前記ピストンと前記プラグとの間の接触点からの距離とともに高さ及び幅が徐々に大きくなり、前記キャビテーション抑制要素は段状の略円錐状の表面を形成する、請求項１０に記載の装置。
【請求項１２】
前記キャビテーション抑制要素の外側縁同士を接合する、前記プラグの中心軸を含む平面内の線は、４５度〜５０度で前記プラグの前記中心軸に合流する、請求項１０又は１１に記載の装置。
【請求項１３】
前記キャビテーション抑制要素は１２個の円筒部材によって形成され、軸方向に最も大きい円筒部材は前記プラグの中心軸に隣接して位置付けられ、該部材の径方向近位内側縁と径方向遠位外側縁との間に６．５ｍｍの幅を有し、この円筒部材の軸方向高さは６．５ｍｍであり、連続的な径方向遠位円筒部材は、近位の隣接する部材よりも０．５ｍｍ小さい幅及び高さを有し、最小の段部は１ｍｍの高さであり、前記ピストンの縁と前記プラグとの間の接触点から３ｍｍに位置付けられる、請求項１０〜１２のいずれか一項に記載の装置。
【請求項１４】
温水循環システムにおける使用に好適な圧力独立制御弁及び釣合い弁を有する装置であって、座部を有するハウジング、上流面及び下流面を有するプラグ、並びにピストンを備え、コントローラが前記プラグの上流面と前記座部との間の第１の流れ絞りのサイズを決め、前記ピストンは、前記第１の流れ絞りにわたる差圧及び所定の力に応じて移動するように動作可能であり、前記プラグの下流面に対する前記ピストンの位置が、第２の流れ絞りのサイズを決め、それによって、使用時に、前記第１の流れ絞りにわたって略一定の差圧を維持し、前記ピストンの動作は、前記第１の流れ絞りにわたる差圧に晒される前記ハウジングを通るチャネルを閉じることによって防止することができ、前記チャネルは、前記座部の上流から前記ハウジングを通って延び、前記ピストンの駆動面と流体連通する、装置。
【請求項１５】
前記チャネルを開閉することを可能にする弁が該チャネルに設けられ、前記チャネルは、前記弁を使用して切換えることができ、前記弁が第１の位置にあるとき、前記ピストンの駆動側を前記第１の流れ絞りの上流の流体圧力と流体連通させるか、又は、前記ピストンの駆動側は、前記弁が第２の位置にあるときに前記第１の流れ絞りと前記第２の流れ絞りとの間の流体圧力と流体連通する、請求項１４に記載の装置。
【請求項１６】
温水循環システムにおける使用に好適な圧力独立制御弁及び釣合い弁を有する装置であって、座部を有するハウジング、上流面及び下流面を有するプラグ、並びにピストンを備え、コントローラが前記プラグの上流面と前記座部との間の第１の流れ絞りのサイズを決め、前記ピストンは、前記第１の流れ絞りにわたる差圧及び所定の力に応じて移動するように動作可能であり、前記プラグの下流面に対する前記ピストンの位置が、第２の流れ絞りのサイズを決め、それによって、使用時に、前記第１の流れ絞りにわたって略一定の差圧を維持し、前記プラグの上流面は、管及び該管内に位置決めされるディスクによって画定され、前記管の端は、前記座部と協働して前記制御絞りを形成する縁が半トーラスの形状を有するようにアールが付けられる、装置。
【請求項１７】
前記管の厚さは１．６ｍｍであり、その縁の半径は０．８ｍｍであり、それによって、前記管が半トーラスで終端し、又は、前記ディスクが前記管の端内の６ｍｍに位置付けられる、あるいは、前記管が半トーラスで終端し、かつ、前記ディスクが前記管の端内の６ｍｍに位置付けられる、請求項１６に記載の装置。
【請求項１８】
前記ディスクから下流の前記管の厚さは、前記プラグの表面全体の１６分の１となるように選択され、前記ディスクから下流の前記管の壁は使用時に前記制御絞りの下流の流体圧力に暴露される、請求項１６又は１７に記載の装置。
【請求項１９】
前記ディスクは、少なくとも１つの穴を画定するため、使用時に、両面で同じ圧力に暴露され、前記ディスクは複数の穴を画定する、請求項１６〜１８のいずれか一項に記載の装置。
【手続補正２】
【補正対象書類名】明細書
【補正対象項目名】発明の名称
【補正方法】変更
【補正の内容】
【発明の名称】圧力独立制御弁及び釣合い弁を有する装置